(57)【要約】【課題】配管カバーに一体形成されたノックアウト穴を、工具を使用することなく開口することができ、据付作業性の向上と据付時間の短縮を図ることができる空気調和機を提供する。【解決手段】室内ユニット２０に、吸引された室内空気を熱交換して二次空気とする熱交換器４と、熱交換器４の下方に取り付けられたドレンパン６と、熱交換器４の側方に取り付けられた冷媒ガス配管１２および冷媒液配管１３とを備え、ドレンパン６、冷媒ガス配管１２および冷媒液配管１３にそれぞれ接続配管６０、１２０、１３０を接続し、室内ユニット２０の背面板２３に接続配管６０、１２０、１３０を外部に貫通させる配管貫通穴３０を設けた空気調和機であって、配管貫通穴３０に着脱自在に取り付けられ、現地での据え付け時に切り取り部４３、４４を除去して接続配管６０、１２０、１３０を貫通させる配管貫通穴カバー４０を備え、配管貫通穴カバー４０に切り取り部４３、４４を除去するための薄肉スリット部４１、４２または薄肉溝部を設けた。【選択図】図４
2009174799.tif 000002
【特許請求の範囲】
【請求項１】
室内ユニットに、吸引された室内空気を熱交換して二次空気とする熱交換器と、該熱交換器の下方に取り付けられたドレンパンと、前記熱交換器の側方に取り付けられた冷媒ガス配管および冷媒液配管とを備え、
前記ドレンパン、冷媒ガス配管および冷媒液配管にそれぞれ接続配管を接続し、前記室内ユニットの背面板に前記接続配管を外部に貫通させる配管貫通穴を設けた空気調和機であって、
前記配管貫通穴に着脱自在に取り付けられ、現地での据え付け時に切り取り部を除去して前記接続配管を貫通させる配管貫通穴カバーを備え、前記配管貫通穴カバーに前記切り取り部を除去するための薄肉スリット部または薄肉溝部を設けたことを特徴とする空気調和機。
【請求項２】
前記薄肉スリット部または薄肉溝部を前記配管貫通穴カバーの上下２箇所に形成し、上部の切り取り部を切り取って開口した上部開口部に前記冷媒配管の接続配管を貫通させ、下部の切り取り部を切り取って開口した下部開口部に前記ドレンパンの接続配管を貫通させることを特徴とする請求項１記載の空気調和機。
【請求項３】
前記配管貫通穴カバーの上部の薄肉スリット部または薄肉溝部は、上下方向のほぼ中央部の幅方向にほぼ一直線に形成されたことを特徴とする請求項１または２記載の空気調和機。
【請求項４】
前記配管貫通穴カバーの下部の薄肉スリット部または薄肉溝部は、幅方向の一端から上下方向の下端に至るほぼＪ字状に形成されたことを特徴とする請求項１または２記載の空気調和機。
【請求項５】
前記薄肉スリット部または薄肉溝部の幅を１ｍｍ〜２ｍｍ、長さを２０ｍｍ〜２５ｍｍ、および繋がり部を１ｍｍ〜２ｍｍとしたことを特徴とする請求項１〜４のいずれかに記載の空気調和機。
【請求項６】
前記配管貫通穴カバーの前記配管貫通穴の縁部に対応する位置に係止爪を設けたことを特徴とする請求項１〜５のいずれかに記載の空気調和機。
【請求項７】
前記配管貫通穴カバーの前記薄肉スリット部または薄肉溝部の、前記ドレンパンの接続配管と対向する部分が、円弧状に形成されたことを特徴とする請求項１〜６のいずれかに記載の空気調和機。
【請求項８】
前記配管貫通穴は、上部貫通穴とこれよりも幅狭の下部貫通穴とが上下方向に連通して形成されたことを特徴とする請求項１〜７のいずれかに記載の空気調和機。
【請求項９】
前記配管貫通穴の前記接続配管と対向する部分が、円弧状に形成されたことを特徴とする請求項１〜８のいずれかに記載の空気調和機。
【請求項１０】
前記配管貫通穴カバーが樹脂部材からなることを特徴とする請求項１〜９のいずれかに記載の空気調和機。
【発明の詳細な説明】
【技術分野】
【０００１】
本発明は、空気調和機に係り、より詳しくは、据え付け工事時に、室内ユニットの配管貫通穴を貫通させて外部の冷媒配管とドレン排水配管を接続する際に、配管貫通穴に取り付ける配管貫通穴カバーを備えた空気調和機に関する。
【背景技術】
【０００２】
天吊形空気調和機の筐体（室内ユニット）には据付工事時に外部の冷媒配管等を貫通させるための配管貫通穴が必要であり、このため、配管貫通穴を形成可能とする打抜部（ノックアウト穴）を筐体に設けたものがある（例えば、特許文献１参照）。また、開口部を形成可能とするノックアウト穴が一体形成された配管貫通穴カバーを配管接続スペースに設けたものがある。
【０００３】
【特許文献１】特開２００７−２０５６５３号公報（第４頁、図１−図２）
【発明の開示】
【発明が解決しようとする課題】
【０００４】
従来の天吊形空調機器によれば、打抜部又は配管貫通穴カバーに設けたノックアウト穴は据付工事時に工具を使用し、切断除去して配管貫通穴を開口しなければならないためきわめて面倒であった。
【０００５】
本発明は、上記のような課題を解決するためになされたもので、配管貫通穴カバーに一体形成されたノックアウト穴を、工具を使用することなく手作業で開口することができ、据付作業性の向上と据付時間の短縮をはかった空気調和機を提供することを目的とする。
【課題を解決するための手段】
【０００６】
本発明に係る空気調和機は、室内ユニットに、吸引された室内空気を熱交換して二次空気とする熱交換器と、熱交換器の下方に取り付けられたドレンパンと、熱交換器の側方に取り付けられた冷媒ガス配管および冷媒液配管とを備え、ドレンパン、冷媒ガス配管および冷媒液配管にそれぞれ接続配管を接続し、室内ユニットの背面板に接続配管を外部に貫通させる配管貫通穴を設けた空気調和機であって、配管貫通穴に着脱自在に取り付けられ、現地での据え付け時に切り取り部を除去して接続配管を貫通させる配管貫通穴カバーを備え、配管貫通穴カバーに切り取り部を除去するための薄肉スリット部または薄肉溝部を設けたものである。
【発明の効果】
【０００７】
配管貫通穴カバーに薄肉スリット部または薄肉溝部を設け、切り取り部を手作業により折り曲げて切り取るようにしたので、工具を使わずに開口部を形成することができ、分離が容易で据付作業性が改善され、また据付作業時間が短縮されて、据付工事費の抑制を図ることができる。
【発明を実施するための最良の形態】
【０００８】
実施の形態１．
図１は本発明の実施の形態１に係る天吊形空気調和機を側面から見た構成図、図２は図１の要部の構成図、図３は配管貫通穴カバーを備えた天吊形空気調和機を背面側より見た斜視図、図４は図３の配管貫通穴カバーの正面図、及び図５は配管貫通穴カバー（切り取り後）と各接続配管との配置状況を示す正面図である。
天吊形空気調和機の筐体２０（室内ユニットともいう）はほぼ四角形の箱形をなし、天井から吊り下げられている。筐体２０の下面上流側（図１の右側下部）には室内空気１０（一次空気ともいう）を吸込むための吸込口２が設けられており、吸込口２には塵埃等を除去するためのフィルタ２ａが取り付けられている。吸込口２の近傍にはシロッコファンよりなる送風ファン１が取り付けられ、電動機（図示せず）によって駆動される。
【０００９】
送風ファン１の下流側（図１の左側）には風路３及び吹出口５が設けられており、風路３内には冷凍サイクルを構成する熱交換機４が下流側を上方にして斜めに配置されている。そして、吸込口２から吸入された室内空気１０と熱交換器４の冷媒との間で熱交換され、熱交換後の室内空気１０は二次空気１１となって吹出口５から吹き出す。なお、送風ファン１と風路３との間の筐体天井面２１には、通気孔を有する仕切り板２２が取り付けられている。
熱交換器４の側方部分４ａには、冷媒を流通させる冷媒ガス配管１２と冷媒液配管１３とが取り付けられており、現地での据付工事時に、外部の冷媒ガス配管（接続配管ともいう）１２０と外部の冷媒液配管（接続配管ともいう）１３０（図５参照）とに接続される。
【００１０】
熱交換器４の下側には、熱交換器４によって発生したドレン水７を受ける発泡スチロール製のドレンパン６が設けられ、その熱交換器４側の表面にはＡＢＳ製のスキン層６ａがインサート成形され、下面には金属板からなる意匠パネル８が配設されている。熱交換器４の側方部分４ａの上流側下方には、ドレンパン６のドレン水溜まり６ｂとドレン水排出口６ｃとが設けられており、ドレン水排出口６ｃにはドレン排水配管６０が現地での据付工事時に接続され、ドレン水を筐体２０の外に排出する。
【００１１】
筐体２０の背面板２３には、図３〜図５に示すように、配管貫通穴３０が設けられており、図５に示すように、上部貫通穴３０ａとこれよりも幅狭に形成された下部貫通穴３０ｂとが上下に連通され、上部貫通穴３０ａには外部の冷媒ガス配管１２０と外部の冷媒液配管１３０とを左右に並列して通し、下部貫通穴３０ｂにはドレン排水排管６０を通す。なお、１２０ａ、１３０ａは、外部の冷媒ガス配管１２と外部の冷媒液配管１３０の外周に設けられた断熱材である。配管貫通穴３０の上下の高さは、下部貫通穴３０ｂの高さがドレン排水配管６０の径よりも十分大きくなるようにしてあり、外部の冷媒配管１２０、１３０とドレン排水配管６０とを配管貫通穴３０に通すときに、配管作業が行ないやすくなるようにしてある。
配管貫通穴３０外周の左右上部の角は円弧状イ、ロに形成されて外部の冷媒ガス配管１２０、外部の冷媒液配管１３０との隙間が少なくなるようにしてあり、また、配管貫通穴３０下部のドレン排水配管６０を通す部分は、ドレン排水配管６０に沿うように円弧状ハに形成されて、ドレン排水配管６０との隙間が少なくなるようにしてある。
【００１２】
配管貫通穴３０の下部には、これを幅方向に覆うように、下部配管貫通穴カバー４００（図５参照）が取り付けられている。この下部配管貫通穴カバー４００は、プラスチック部材（例えばＡＢＳ樹脂）よりなる配管貫通穴カバー４０（図４参照）の一部を切り取って形成したもので、切り取り前、すなわち現地での据え付け前には、図４に示すように、角部が円弧状に形成されたほぼ四角形状をなし、複数個（例えば２本）の薄肉スリット部、すなわち第１のスリット部（上部スリット部）４１及び第２のスリット部（下部スリット部）４２と、これらのスリット部４１、４２によって上下に区画される第１の切り取り部（冷媒配管用ノックアウト穴切り取り部）４３、本体カバー部４０ａ（配管貫通穴カバー４０の切り取り後にこの部分が図５に示す下部配管貫通穴カバー４００になる）、及び第２の切り取り部（ドレン排水配管用ノックアウト穴切り取り部）４４によって構成されている。
【００１３】
第１のスリット部４１は、図４に示すように、上下方向のほぼ中間部に位置して、全幅（図の左右方向の全幅）に渡りほぼ直線状に形成されている。例えば、その幅は１ｍｍないし２ｍｍ、長さは２０ｍｍないし２５ｍｍであり、繋がり部は１ｍｍないし２ｍｍであり、両端部は、薄肉の状態で配管貫通穴カバー４０の両端に達していることが好ましい。
また、第２のスリット部４２は、第１のスリット部４１の下部に形成され、一方の端部（図４の右端）から第１のスリット部４１と平行に形成され、途中でドレン排水配管６０との隙間がなくなるように円弧状ニをなし、下端（図４の下端）に至るほぼＪ字形状をなしている。そして、第１のスリット部４１と同様に、例えば、幅は１ｍｍないし２ｍｍ、長さは２０ｍｍないし２５ｍｍであり、繋がり部は１ｍｍないし２ｍｍである。両端部は、薄肉の状態で配管貫通穴カバー４０の両端に達していることが好ましい。
【００１４】
配管貫通穴カバー４０（図４参照）にはこれと一体に配管貫通穴３０に着脱自在に係止する係止爪４５ａ〜４５ｆが設けられており、この係止爪４５ａ〜４５ｆは、本体カバー部４０ａには、配管貫通穴３０の縁部に対応する位置の３カ所（縁部の両側に対応する位置に設けた係止爪４５ａ、４５ｃと、縁部の底部に対応する位置に設けた係止爪４５ｂ）に設けられ、第１の切り取り部４３には、配管貫通穴３０の縁部に対応する位置の３カ所（縁部の両側に対応する位置に設けた係止爪４５ｄ、４５ｆと、縁部の上部に対応する位置に設けた係止爪４５ｅ）に設けられている。
また、配管貫通穴カバー４０には、配管貫通穴３０の縁部内周に沿って、数ミリ程度の高さのフランジ４６が設けられ、配管貫通穴３０に嵌めやすくしてある。
【００１５】
上記の配管貫通穴カバー４０（図４参照）から第１、第２の切り取り部４３、４４を切り取ったあとの本体カバー部４０ａ、すなわち切り取り後の下部配管貫通穴カバー４００（図５参照）は、配管貫通穴３０の中央部付近より下部の幅方向に配管貫通穴３０を覆い、下部配管貫通穴カバー４００の上部貫通穴３０ａに外部の冷媒ガス配管１２０、外部の冷媒液配管１３０を貫通させ、下部配管貫通穴カバー４００の円弧状ニの縁部と下部貫通穴３０ｂの円弧状ハの部分との間にドレン排水配管６０を貫通させる。
【００１６】
次に、天吊形空気調和機の配管接続について説明する。
当初は、配管貫通穴３０は係止爪４５ａ〜４５ｆによって係止された配管貫通穴カバー４０によって閉塞されている。
まず、図２に示すように、熱交換器４の側方部分４ａに接続されている冷媒ガス配管１２と冷媒液配管１３を、現地において、外部の冷媒ガス配管１２０と外部の冷媒液配管１３０とに接続し、また、ドレンパン６のドレン水排出口６ｃにドレン排水配管６０を接続する。
このとき、外部の冷媒ガス配管１２０、外部の冷媒液配管１３０及びドレン排水配管６０を筐体２０の配管接続スペース２４に挿通させるために、配管貫通穴カバー４０（図４参照）を現地において取り外して配管貫通穴３０を開口し、配管貫通穴カバー４０の第１、第２の切り取り部４３、４４を、それぞれ第１、第２のスリット部４１、４２によって手作業で切り取る（図４、図５参照）。そして、外部の冷媒ガス配管１２０と外部の冷媒液配管１３０とを上部貫通穴３０ａに貫通させ、ドレン排水配管６０を下部貫通穴３０ｂに貫通させる。ついで、係止爪４５ａ〜４５ｃを配管貫通穴３０の外周に係止させて下部配管貫通穴カバー４０を取り付ける（図５参照）。
【００１７】
次に、天吊形空気調和機の動作について説明する。
送風ファン１によって吸込口２から吸入された室内空気１０は、風路３に位置する熱交換器４（冷媒ガス配管１２及び冷媒液配管１３と接続）を流れる冷媒との間で熱交換され、熱交換後の室内空気１０は、二次空気１１となって吹出口５から吹出す。熱交換器４によって発生したドレン水７はドレンパン６によって受けられ、ドレン排水配管６０を通って筐体２０の外部に排出される。
【００１８】
実施の形態１によれば、配管貫通穴３０を閉塞している配管貫通穴カバー４０を据付現場で取り外し、配管貫通穴カバー４０（図４参照）の上下に位置する第１、第２の切り取り部４３、４４を切り取り、切り取ったのちの本体カバー部４０ａ（すなわち、図５に示す下部配管貫通カバー４００）を配管貫通穴３０に取り付けるようにしたので、配管作業を容易に行うことができる。この際、第１、第２の切り取り部４３、４４を、第１、第２のスリット部４１、４２により、工具を使用せずに手作業により前後に折り曲げて簡単に切り離すことができ、このため、外部の冷媒ガス配管１２０、外部の冷媒液配管１３０、ドレン排水配管６０の接続作業を容易に行うことができる。こうして、工具による開口作業を含む据付作業によって生じる困難性を改善し、据付作業時間を短縮して、据付工事費を削減することができる。
【００１９】
また、配管貫通穴３０の面積を大きくしてあるので、外部の冷媒配管１２０、１３０及びドレン排水配管６０を容易に通すことができ、配管接続が行いやすい。一方、下部配管貫通穴カバー４００（図５参照）は、それぞれの外部の冷媒配管１２０、１３０及びドレン排水配管６０を通すのに必要な部分のみが開けられているので、配管貫通穴３０から空気が筐体２０内に進入しないようにすることができる。
【００２０】
また、下部配管貫通穴カバー４００（図５参照）を介して、配管貫通穴３０の上側に外部の冷媒ガス配管１２０と冷媒液配管１３０を貫通させると共に、下側にドレン排水配管６０を貫通させ、この際、下部配管貫通穴カバー４００の円弧状ニの縁部と下部貫通穴３０ｂの円弧状ハの部分との間にドレン排水配管６０を貫通させるようにしたので、ドレン排水配管６０の下流側がドレン水排出口６ｃよりも低くなるようにして傾斜させることができ、ドレン水７を効率良く筐体２０外に排出することができる。
【００２１】
なお、上記の説明では、配管貫通穴カバー４０の第１、第２のスリット部４１、４２は配管貫通穴カバー４０の端部から形成して切り離しやすいものを示したが、端部から若干離れた位置から形成するようにしてもよい。
また、配管貫通穴カバー４０や配管貫通穴３０の形状は、本発明の効果を有する範囲で変更することができる。
【００２２】
実施の形態２．
実施の形態１では、配管貫通穴カバー４０（図４参照）に薄肉のスリット部、すなわち第１、第２のスリット部４１、４２を設けた場合を示したが、本実施の形態２では、薄肉のスリット部に代えて、薄肉の溝部を設けたものである（図示せず）。
その他の、構成、作用及び効果は、実施の形態１で示した場合と実質的に同様なので、説明を省略する。
【００２３】
実施の形態３．
図６は本発明の実施の形態３に係る天吊形空気調和機の配管貫通穴カバー（切り取り前）の正面図である。
実施の形態１では、配管貫通穴カバー４０（図４参照）の係止爪４５ａ〜４５ｆを、配管貫通穴３０の縁部に対応する位置の６カ所に設けた場合を示したが、本実施の形態３では、図６に示すように、本体カバー部４０ａの両側端部に係止爪４５ｇ、４５ｈをさらに２箇所設けたものである。
その他の構成、作用は、実施の形態１で示した場合と実質的に同様なので説明を省略する。
【００２４】
本実施の形態３によれば、配管貫通穴カバー４０に設けた多数個の係止爪４５ａ〜４５ｈによって、配管貫通穴カバー４０（配管貫通穴カバー４００）を筐体２０に強固に係止させることができるので、配管貫通穴カバー４０（配管貫通穴カバー４００）の落下を抑制し、落下による紛失を防止することができる。
【図面の簡単な説明】
【００２５】
【図１】本発明の実施の形態１に係る天吊形空気調和機を側面から見た構成図である。
【図２】図１の要部の構成図である。
【図３】実施の形態１に係る配管貫通穴カバーを備えた天吊形空気調和機を示す斜視図である。
【図４】図３の配管貫通穴カバー（切り取り前）の正面図である。
【図５】実施の形態１に係る下部配管貫通穴カバー（切り取り後）と各接続配管との配置状況を示す正面図である。
【図６】本発明の実施の形態３に係る天吊形空気調和機の配管貫通穴カバー（切り取り前）の正面図である。
【符号の説明】
【００２６】
４  熱交換器、４ａ  熱交換器の側方部分、６  ドレンパン、１２  冷媒ガス配管、１３  冷媒液配管、２０  筐体（室内ユニット）、２３  筐体背面（室内ユニットの背面）、３０  配管貫通穴、３０ａ  上部貫通穴、３０ｂ  下部貫通穴、４０  切り取り前の配管貫通穴カバー、４０ａ  本体カバー部、４１  第１のスリット部（上部の薄肉スリット部）、４２  第２のスリット部（下部の薄肉スリット部）、４３  第１の切り取り部（上部の切り取り部）、４４  第２の切り取り部（下部の切り取り部）、４５ａ〜４５ｈ  係止爪、６０  ドレン排水配管（ドレンパンの接続配管）、１２０  外部の冷媒ガス配管（接続配管）、１３０  外部の冷媒液配管（接続配管）、４００  切り取り後の下部配管貫通穴カバー、イ、ロ、ハ、ニ  円弧状。
【図１】
2009174799.tif 000003
【図２】
2009174799.tif 000004
【図３】
2009174799.tif 000005
【図４】
2009174799.tif 000006
【図５】
2009174799.tif 000007
【図６】
2009174799.tif 000008